(57)【要約】【課題】ユーザがＥＰＧ上で選局操作を行う際に、選局後映像音声が出力されるまでの待ち時間が低減されたデジタル放送受信システムを提供する。【解決手段】デジタル放送信号を取得し選局を行う２以上の選局部５・７と、デジタル放送信号を取得し電子番組表を生成する番組表生成部２７と、前記いずれかの選局部５・７により選局されたチャンネルの映像音声及び前記番組表生成部２７により生成された電子番組表を表示する表示部１１と、前記表示された電子番組表に対するユーザ操作を受け付ける入力手段１７とを備えており、前記入力手段１７により、現在表示部１１で表示しているチャンネルとは異なるチャンネルが選局候補として指定されると、現在表示しているチャンネルを選局している選局部５とは異なる選局部７により、前記候補として指定されたチャンネルの選局を行う。【選択図】図１
2007258798.tif 000002
【特許請求の範囲】
【請求項１】
デジタル放送信号を取得して選局を行う２以上の選局部を有するデジタル放送受信システムであって、
１の選局部の動作中に現在視聴中のものと異なるチャンネルが選局候補として指定されると、他の選局部により当該選局候補とされたチャンネルの選局動作を開始するデジタル放送受信システム。
【請求項２】
デジタル放送信号を取得し選局を行う２以上の選局部と、
デジタル放送信号を取得し電子番組表を生成する番組表生成部と、
前記いずれかの選局部により選局されたチャンネルの映像音声及び前記番組表生成部により生成された電子番組表を表示する表示部と、
前記表示された電子番組表に対するユーザ操作を受け付ける入力手段と、を備えており、
前記入力手段により、現在表示部で表示しているチャンネルとは異なるチャンネルが選局候補として指定されると、現在表示しているチャンネルを選局している選局部とは異なる選局部により、前記候補として指定されたチャンネルの選局を行うことを特徴とするデジタル放送受信システム。
【請求項３】
デジタル放送信号を取得して選局を行う１の選局部を有するデジタル放送受信システムであって、
前記選局部の動作中に選局が変更する可能性のあるユーザ操作が行われると、前記選局部の動作を停止し、現在視聴中のものと異なるチャンネルが選局候補として指定されると、前記選局部により当該選局候補とされたチャンネルの選局動作を開始するデジタル放送受信システム。
【請求項４】
デジタル放送信号を取得し選局を行う１の選局部と、
デジタル放送信号を取得し電子番組表を生成する番組表生成部と、
前記選局部により選局されたチャンネルの映像音声及び前記番組表生成部により生成された電子番組表を表示する表示部と、
前記表示された電子番組表に対するユーザ操作を受け付ける入力手段と、を備えており、
前記入力手段により電子番組表の表示が指示されると、前記選局部の動作を停止し、
前記入力手段により、現在表示部で表示しているチャンネルとは異なるチャンネルが選局候補として指定されると、前記選局部により、前記候補として指定されたチャンネルの選局を行うことを特徴とするデジタル放送受信システム。
【発明の詳細な説明】
【技術分野】
【０００１】
本発明は、ユーザがＥＰＧ上で選局操作を行うことができるデジタル放送受信システムに関し、特に、選局後映像音声が出力されるまでの待ち時間が低減されたデジタル放送受信システムに関するものである。
【背景技術】
【０００２】
デジタル放送は、デジタル化された映像データや音声データを圧縮し多重化して放送することにより、多数のチャネルの放送を行うことができる。また、デジタル放送では、番組の映像データ、音声データの他に、番組に関する情報も放送されており、デジタル放送受信機では、放送データからこの番組関連情報を取得して、電子番組表（ＥＰＧ）を生成し表示することが可能となっている。
【０００３】
特許文献１には、このようなＥＰＧを表示し、ユーザによる選局操作を受け付けることができるデジタル放送受信装置が開示されている。このデジタル放送受信装置では、デジタル放送のチャネル数が非常に多くＥＰＧの情報が膨大なものとなっているため、ユーザが所望の番組を探して選局するのに時間がかかり過ぎてしまうという問題を解消するために、ユーザから番組のジャンル指定を受け付け、当該ジャンルに属する番組の情報のみを表示することにより、ユーザが番組を選局する操作を迅速に行えるようにしたことを特徴としている。
【０００４】
【特許文献１】特開２００２−６４７５６号公報
【発明の開示】
【発明が解決しようとする課題】
【０００５】
一方で、デジタル放送では、チャンネルの選局を行うと、放送信号に含まれるＰＳＩ／ＳＩ（Program Specific Information/Service Information）を取得し、このＰＳＩ／ＳＩに基づいて当該チャネルの映像データ、音声データを取得し出力する仕組みとなっている。このため、ユーザが選局操作を行ってから実際にその番組の映像音声が出力されるまでに最大で数秒の待ち時間が発生してしまう。一般的なデジタル放送受信装置においてユーザがＥＰＧ上で選局を行う際の動作の流れを図９に示す。ユーザは、番組視聴中に他のチャンネルを選局しようとしてＥＰＧを表示し、ＥＰＧに一覧表示された番組アイコンから所望の番組又はチャンネルを探し出して、その番組又はチャンネルのアイコン上にカーソルを移動させ、選局を決定する動作を行う。この動作の後、デジタル放送受信装置が上記した選局動作を行うため、ユーザが選局を決定してからその番組又はチャンネルの映像音声を視聴開始できるまでに、数秒の待ち時間が発生してしまうことになる。
【０００６】
特許文献１のデジタル放送受信装置では、ユーザがＥＰＧから所望の番組を選局するのにかかる手間や時間を省くという点では選局操作の迅速化が図られているが、上記したような受信装置内部での選局動作により生じる待ち時間を解消することはできていない。
【０００７】
本発明は、このような実情に鑑みてなされたものであり、ユーザがＥＰＧ上で選局操作を行う際に、選局後映像音声が出力されるまでの待ち時間が低減されたデジタル放送受信システムを提供しようとするものである。
【課題を解決するための手段】
【０００８】
上記解決課題に鑑みて鋭意研究の結果、本発明者は、ユーザが番組又はチャンネルの選局を決定した時ではなく、現在視聴中のチャンネルとは異なるチャネルの番組又はチャンネルにカーソルが置かれた時に、選局部においてカーソル対象のチャンネルの選局動作を開始しておくことにより、ユーザによる選局決定操作に先行して、放送信号に含まれるＰＳＩ／ＳＩの取得等の時間を要する処理を行っておき、ユーザによる選局決定操作を行った後に映像音声が視聴可能となるまでの待ち時間を効果的に低減することができることに想到した。
【０００９】
より具体的には、本発明は、以下のような発明を提供するものである。
【００１０】
（１）デジタル放送信号を取得して選局を行う２以上の選局部を有するデジタル放送受信システムであって、１の選局部の動作中に現在視聴中のものと異なるチャンネルが選局候補として指定されると、他の選局部により当該選局候補とされたチャンネルの選局動作を開始するデジタル放送受信システム。
（２）デジタル放送信号を取得し選局を行う２以上の選局部と、デジタル放送信号を取得し電子番組表を生成する番組表生成部と、前記いずれかの選局部により選局されたチャンネルの映像音声及び前記番組表生成部により生成された電子番組表を表示する表示部と、
前記表示された電子番組表に対するユーザ操作を受け付ける入力手段とを備えており、
前記入力手段により、現在表示部で表示しているチャンネルとは異なるチャンネルが選局候補として指定されると、現在表示しているチャンネルを選局している選局部とは異なる選局部により、前記候補として指定されたチャンネルの選局を行うことを特徴とするデジタル放送受信システム。
（３）デジタル放送信号を取得して選局を行う１の選局部を有するデジタル放送受信システムであって、前記選局部の動作中に選局が変更する可能性のあるユーザ操作が行われると、前記選局部の動作を停止し、現在視聴中のものと異なるチャンネルが選局候補として指定されると、前記選局部により当該選局候補とされたチャンネルの選局動作を開始するデジタル放送受信システム。
（４）デジタル放送信号を取得し選局を行う１の選局部と、デジタル放送信号を取得し電子番組表を生成する番組表生成部と、前記選局部により選局されたチャンネルの映像音声及び前記番組表生成部により生成された電子番組表を表示する表示部と、前記表示された電子番組表に対するユーザ操作を受け付ける入力手段とを備えており、前記入力手段により電子番組表の表示が指示されると、前記選局部の動作を停止し、前記入力手段により、現在表示部で表示しているチャンネルとは異なるチャンネルが選局候補として指定されると、前記選局部により、前記候補として指定されたチャンネルの選局を行うことを特徴とするデジタル放送受信システム。
【発明の効果】
【００１１】
以上、説明したように、本発明のデジタル放送受信システムでは、ユーザが選局を決定する動作に先行して、バックグラウンドで選局動作を開始しているので、選局後映像音声が出力されるまでの待ち時間が効果的に低減されている。
【発明を実施するための最良の形態】
【００１２】
以下、添付図面を参照しながら、本発明のデジタル放送受信システムを実施するための最良の形態を詳細に説明する。図１〜図８は、本発明の実施の形態を例示する図であり、これらの図において、同一の符号を付した部分は同一物を表わし、基本的な構成及び動作は同様であるものとする。
【００１３】
[第１実施形態]
本発明のデジタル放送受信システムの第１実施形態について説明する。図１は、本実施形態のデジタル放送受信システムにおける選局及びＥＰＧ表示に関わる部分のシステム構成を概略的に示す図である。図１において、デジタル放送受信システムＡは、デジタル放送波を受信するための第１受信部１及び第２受信部３と、第１受信部１及び第２受信部３それぞれにおいて受信したデジタル放送信号のチューニング、復調、デコード等を行う第１選局部５及び第２選局部７と、デジタル放送信号からＥＰＧを生成し表示部１１に出力する番組表生成部２７と、映像音声の出力やＥＰＧの表示を行う表示部１１と、第１選局部５及び第２選局部７の動作を制御する選局制御部１５と、リモコンや操作パネル等のユーザ入力手段１７とを含んでいる。
【００１４】
第１受信部１及び第２受信部３は、それぞれ、アンテナ２１・２３等によりデジタル放送波を受信し電気信号に変換して、第１選局部５及び第２選局部７に出力する。第１選局部５及び第２選局部７は、それぞれ、第１受信部１及び第２受信部３から入力されたデジタル放送信号から選局対象チャネルの放送データを取り出し、映像信号及び音声信号を生成して表示部１１に出力する。番組表生成部２７は、第１受信部１及び第２受信部３のいずれか一方からデジタル放送信号を取得し、そこに含まれる番組情報等からＥＰＧ表示データを生成して表示部１１に出力する。ユーザ入力手段１７は、表示部１１に表示されたＥＰＧ上でユーザがカーソル等を用いて行う操作入力を受け付け、その操作内容を選局制御部１５に出力する。
【００１５】
図２は、本実施形態のデジタル放送受信システムにおいてＥＰＧ上で選局を行う際の動作の流れを示すフローチャートである。ここでは、デジタル放送受信システムにおいて、第１選局部によって選局されているチャンネルが表示部に表示されている状態から、ユーザがＥＰＧによる選局操作を行う際の動作を例にとって説明する。図２において、最初は第１選局部によって選局されているチャンネルが表示部に表示されている（ステップＳ２０１）。このとき、ユーザがユーザ入力手段によりＥＰＧ表示の操作を行うと、表示部は、番組表生成部により生成されたＥＰＧを表示する（ステップＳ２０２）。ユーザは、ユーザ入力手段により、表示されたＥＰＧ上でカーソルを移動させたり番組を選択したりする操作を行うことができる。ユーザがＥＰＧ上で番組又はチャンネルにカーソルを合わせると（ステップＳ２０３）、選局制御部は、このカーソルが合わせられた対象のチャンネルが現在視聴中のチャンネルと同じであるかどうかを判定する（ステップＳ２０４）。カーソル対象が現在視聴中のチャンネルと同じである場合には、特別な処理はせず、引き続きユーザからの操作入力を待ち受ける。
【００１６】
ステップＳ２０４において、ユーザがＥＰＧ上でカーソルを合わせた対象のチャンネルが現在視聴中のチャンネルと異なる場合には、選局制御部は、第２選局部に対して、カーソル対象のチャンネルの選局を開始するよう命令を発する（ステップＳ２０５）。このとき第２選局部が取得したＰＳＩ／ＳＩ等のデータは、図示しないメモリ等に一時的にキャッシュしておけばよい。その後、この対象上にカーソルが置かれた状態でユーザが選局決定の操作を行うと（ステップＳ２０６）、表示部は、第１選局部によって選局されているチャンネルから、第２選局部によって選局されているチャンネルに切替えて表示を行う（ステップＳ２０７）。ステップＳ２０６において、ユーザが選局決定の操作を行わず、さらに他の番組又はチャンネルにカーソルを移動させるなどの操作を行った場合には、ステップＳ２０３に戻り、以降の動作が繰り返されることになる。
【００１７】
このように、ユーザが番組又はチャンネルの選局を決定した時ではなく、現在視聴中のチャンネルとは異なるチャネルの番組又はチャンネルにカーソルが置かれた時に、現在利用されていない第２選局部によって、カーソル対象のチャンネルの選局動作を開始しておくことにより、ユーザによる選局決定操作に先行して、放送信号に含まれるＰＳＩ／ＳＩの取得等の時間を要する処理を行っておくことができるので、ユーザが選局決定操作を行った後に映像音声が視聴可能となるまでの待ち時間を効果的に低減することができる。この第２選局部による先行した選局動作は、バックグラウンドで行われるものであるから、ユーザがＥＰＧを操作するにあたっては何ら不便さや支障が生じることはない。
【００１８】
尚、上記では、第１選局部が稼動中で第２選局部が待機状態となっている場合の例を挙げたが、これらは逆であっても全く同じように動作するものとする。したがって、図２のステップＳ２０７で第２選局部により選局されたチャンネルの表示を開始した後、再度ＥＰＧ表示が行われたときには、第１選局部がバックグラウンドで先行した選局動作を行うことになる。
【００１９】
以上の一連の動作が行われる際に、表示部により表示される画面の例を図３〜図６示す。図３に示すように「プリンセスカップ２００５  ４日目」という番組を視聴中に、ユーザがＥＰＧ表示の操作を行うと、図４に示すようにＥＰＧが表示される（番組映像の上に重畳されて表示されていてもよい）。このときＥＰＧでは、「プリンセスカップ２００５  ４日目」の欄にカーソルが置かれている。ユーザは、この画面において、任意の番組又はチャンネル上にカーソルを移動させることができる。例として、図５に示すように「スタジオライブ２００５」という視聴中の番組とは異なるチャンネルの番組にカーソルが置かれたとすると、第１選局部及び第２選局部のうち稼働していない方がこの番組の選局動作を先行して行う。ユーザがＥＰＧ下欄に表示された番組詳細情報などを確認した上で、この番組の選局を決定する操作を行うと、表示部は選局部を切替えて表示を行う。こうして、図６に示すような視聴画面が長い待ち時間を要することなく表示される。
【００２０】
[第２実施形態]
本発明のデジタル放送受信システムの第２実施形態について説明する。図７は、本実施形態のデジタル放送受信システムにおける選局及びＥＰＧ表示に関わる部分のシステム構成を概略的に示す図である。図７において、デジタル放送受信システムＢは、デジタル放送波を受信するための受信部３１と、受信部３１において受信したデジタル放送信号のチューニング、復調、デコード等を行う選局部３３と、デジタル放送信号からＥＰＧを生成し表示部に出力する番組表生成部３５と、映像音声の出力やＥＰＧの表示を行う表示部３７と、選局部の動作を制御する選局制御部４１と、リモコンや操作パネル等のユーザ入力手段４３とを含んでいる。
【００２１】
受信部３１は、アンテナ等によりデジタル放送波を受信し電気信号に変換して、選局部３３に出力する。選局部３３は、受信部３１から入力されたデジタル放送信号から選局対象チャネルの放送データを取り出し、映像信号及び音声信号を生成して表示部に出力する。番組表生成部３５は、受信部３１からデジタル放送信号を取得し、そこに含まれる番組情報等からＥＰＧ表示データを生成して表示部３７に出力する。ユーザ入力手段４３は、表示部３７に表示されたＥＰＧ上でユーザがカーソル等を用いて行う操作入力を受け付け、その操作内容を選局制御部に出力する。
【００２２】
本実施形態のデジタル放送受信システムＢは、第１実施形態のデジタル放送受信システムのように受信部及び選局部が２重化されてはいないが、単一の受信部及び選局部によっても、ユーザによる選局決定操作に先行して選局動作を開始するように構成することができる。以下、その方法について説明する。
【００２３】
図８は、本実施形態のデジタル放送受信システムにおいてＥＰＧ上で選局を行う際の動作の流れを示すフローチャートである。図８において、最初は選局部によって選局されているチャンネルが表示部に表示されている（ステップＳ８０１）。このとき、ユーザがユーザ入力手段によりＥＰＧ表示の操作を行うと、表示部は、番組表生成部により生成されたＥＰＧを表示する（ステップＳ８０２）。ＥＰＧの表示に伴って、選局部ではこれまで行っていた選局及び出力の動作を停止する（ステップＳ８０３）。ユーザは、ユーザ入力手段により、表示されたＥＰＧ上でカーソルを移動させたり番組を選択したりする操作を行うことができる。ユーザがＥＰＧ上で番組又はチャンネルにカーソルを合わせると（ステップＳ８０４）、選局制御部は、このカーソルが合わせられた対象のチャンネルが現在視聴中のチャンネルと同じであるかどうかを判定する（ステップＳ８０５）。カーソル対象が現在視聴中のチャンネルと同じである場合には、特別な処理はせず、引き続きユーザからの操作入力を待ち受ける。
【００２４】
ステップＳ８０５において、ユーザがＥＰＧ上でカーソルを合わせた対象のチャンネルが現在視聴中のチャンネルと異なる場合には、選局制御部は、選局部に対して、カーソル対象のチャンネルの選局を開始するよう命令を発する（ステップＳ８０６）。このとき選局部が取得したＰＳＩ／ＳＩ等のデータは、図示しないメモリ等に一時的にキャッシュしておけばよい。その後、この対象上にカーソルが置かれた状態でユーザが選局決定の操作を行うと（ステップＳ８０７）、選局部は、現在選局しているチャンネルの映像信号及び音声信号を表示部に出力し、表示部は当該チャンネルの映像音声を表示する（ステップＳ８０８）。ステップＳ８０７において、ユーザが選局決定の操作を行わず、さらに他の番組又はチャンネルにカーソルを移動させるなどの操作を行った場合には、ステップＳ８０４に戻り、以降の動作が繰り返されることになる。
【００２５】
このように、単一の受信部及び選局部しか有さないデジタル放送受信システムにおいても、ＥＰＧ表示に伴って選局部の動作を停止し、この待機状態となった選局部によって、バックグラウンドでの先行選局動作を行うように構成することにより、第１実施形態とほぼ同様にして、ユーザが選局決定操作を行った後に映像音声が視聴可能となるまでの待ち時間を効果的に低減することができる。尚、ＥＰＧ表示後は、選局部の動作が停止するため、表示部における映像音声の表示も停止してしまうが、ユーザはＥＰＧさえ利用することができればよいので、ユーザの利便性が損なわれることはない。
【００２６】
以上、本発明のデジタル放送受信システムについて、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【産業上の利用可能性】
【００２７】
本発明は、デジタル放送受信システムに利用可能である。
【図面の簡単な説明】
【００２８】
【図１】第１実施形態のデジタル放送受信システムにおける選局及びＥＰＧ表示に関わる部分のシステム構成を概略的に示す図である。
【図２】第１実施形態のデジタル放送受信システムにおいてＥＰＧ上で選局を行う際の動作の流れを示すフローチャートである。
【図３】表示部により表示される視聴画面の例を示す図である。
【図４】表示部により表示されるＥＰＧ表示画面の例を示す図である。
【図５】表示部により表示されるＥＰＧ表示画面の例を示す図である。
【図６】表示部により表示される視聴画面の例を示す図である。
【図７】第２実施形態のデジタル放送受信システムにおける選局及びＥＰＧ表示に関わる部分のシステム構成を概略的に示す図である。
【図８】第２実施形態のデジタル放送受信システムにおいてＥＰＧ上で選局を行う際の動作の流れを示すフローチャートである。
【図９】一般的なデジタル放送受信装置においてユーザがＥＰＧ上で選局を行う際の動作の流れを示すフローチャートである。
【符号の説明】
【００２９】
Ａ…ジタル放送受信システム、１…第１受信部、３…第２受信部、５…第１選局部、７…第２選局部、１１…表示部、１５…選局制御部、１７…ユーザ入力手段、２１、２３…アンテナ、２７…番組表生成部。
【図１】
2007258798.tif 000003
【図２】
2007258798.tif 000004
【図３】
2007258798.tif 000005
【図４】
2007258798.tif 000006
【図５】
2007258798.tif 000007
【図６】
2007258798.tif 000008
【図７】
2007258798.tif 000009
【図８】
2007258798.tif 000010
【図９】
2007258798.tif 000011